(57)【特許請求の範囲】
【請求項１】
ディジタルコードレス遠距離通信システムの端末用で、該端末の他のユニットに制御信号を配送する制御ユニットであって、
前記制御信号により構成される異なる複数のイベントの中の一つが最新のイベントとして各回ごとに選択され、これらイベントでマイクロコントローラによりロード可能な制御信号レジスタアレイと、
関連するイベントの前記制御信号が出力される時間値を表すインスタントで前記マイクロコントローラによりロード可能であり、前記最新のイベントに関連するインスタントが最新のインスタントとして定義される、インスタントレジスタアレイと、
ローカルクロックまたは受信されたデータから抽出されたクロックに従って時間を設定するタイマーと、
前記タイマーにより提供された前記時間を、前記インスタントレジスタアレイにより提供された前記最新のインスタントと比較する比較器と、
前記比較器により制御されると共に制御リードに接続され、前記タイマーにより設定された前記時間と前記最新のインスタントとの一致が前記比較器により検知されたときに前記最新のイベントを書き込むことが可能で、前記書き込まれた制御信号を前記制御リードを介して、他のユニット用の制御信号として出力するのに適した出力レジスタと、を備え、
前記制御ユニットは、少なくとも２つのサブセクションを有し、各サブセクションは、それぞれ対応する前記制御信号レジスタアレイ、前記タイマー、前記インスタントレジスタアレイ、前記比較器および前記出力レジスタを有し、前記イベントは、複数の前記サブセクションに分割可能であり、特定の時間に、一つの前記イベントが前記複数のサブセクションのうちの一つにより処理可能であることを特徴とする制御ユニット。
【請求項２】
サブセクションは少なくとも、
送信データとの同期を必要としない制御信号を出力する主制御部と、
受信データの処理に要求される制御信号をリアルタイムで出力する受信制御部と、
送信されるべきデータの処理に要求される制御信号をリアルタイムで出力する送信制御部と、を有する形態で設けられることを特徴とする請求項２に記載の制御ユニット。
【請求項３】
前記サブセクションのそれぞれは、ローカルクロックに従うか、または、前記端末の前記他のユニットから前記制御ユニットに入力されたデータパケットのクロックに従って制御される個別のタイマーを有していることを特徴とする請求項１または２に記載の制御ユニット。
【請求項４】
第１のサブセクションが、この第１のサブセクションの最新のイベントに提供される制御信号を介して、少なくとも１つの他のサブセクションを活性化させるように配置され、前記少なくとも１つの他のサブセクションは、前記他のサブセクションの最新のイベントに提供される制御信号を介してそれ自身を非活性化するように配置されていることを特徴とする請求項１ないし３の何れかに記載の制御ユニット。
【請求項５】
用いられているタイマーのうち少なくとも１つは、純粋ビットカウンタにより構成されていることを特徴とする請求項１ないし４の何れかに記載の制御ユニット。
【請求項６】
チップとして構成された制御装置内で、受信および送信されるべきデータを処理するためのデータ処理ユニットと共に集積化されていることを特徴とする請求項１ないし５の何れかに記載の制御ユニット。
【請求項７】
請求項１ないし６の何れかに記載された制御ユニットを含むコードレス遠距離通信システムの端末。
【請求項８】
コードレス遠距離通信システムの端末用で、前記端末の他のユニットに制御信号を配送する制御ユニットの処理方法であって、
前記制御ユニットには、少なくとも２つのサブセクションが設けられ、各サブセクションには、出力レジスタに接続された制御信号レジスタアレイと、タイマーに接続された比較器と、前記出力レジスタに対するアクセスを制御するインスタントレジスタアレイと、が設けられ、
ａ）マイクロコントローラにより、制御信号を含む異なる複数のイベントを前記制御信号レジスタアレイに書き込み、
ｂ）関連するイベントの前記制御信号が出力される時間値を表すインスタントであって、対応するイベントに関連するインスタントを、前記マイクロコントローラにより前記インスタントレジスタアレイに書き込み、
ｃ）前記最新のインスタントと前記最新のイベントに関連する最新のインスタントとを決定し、
ｄ）前記最新のインスタントと最新の前記制御信号とを指示し、
ｅ）前記最新のインスタントを前記比較器に適用し、
ｆ）前記最新のインスタントが前記比較器に連続的に適用される前記タイマーの時間値に対応するか否かを、前記比較器にて連続的にチェックし、
ｇ）前記比較器にて一致した場合には、前記最新のイベントを前記出力レジスタにロードして、接続された制御リードを介して、前記出力レジスタに含まれる前記制御信号を前記出力レジスタから出力し、
ｈ）前記最新のインスタントおよび前記最新の制御信号の指示内容を調整することを特徴とする方法。
【発明の詳細な説明】
【０００１】
【発明の属する技術分野】
この発明は、ディジタルコードレス遠距離通信システムの端末を制御する制御ユニットに係り、より詳しくは端末の他のユニットに対して制御信号を送信する制御ユニットおよびこのような制御ユニットを含む通信システム端末の制御方法に関する。
【０００２】
ディジタルコードレス遠距離通信システムにおいて、複数の端末間の通信、特に受話器（携帯端末）と基地局との間の通信は、各々の端末に設けられたアンテナに接続された無線制御装置を介して行なわれている。端末の典型的な構成が図１に示されている。図中の無線制御ユニット２は、制御装置１（ＢＭＣ：Burst Mode Controller ―バーストモード制御器―）により制御されている。
【０００３】
この制御装置１は、送信または受信されるべきデータの臨界的な時間処理に対して応答可能である。さらに、この制御装置１は、無線制御ユニット２の制御リードを介して制御信号を出力する。この制御装置１そのものは、マイクロコントローラ３により制御されており、このマイクロコントローラ３は、プロトコル機能を初めとして臨界的な時間機能以外の全てを実行している。
【０００４】
さらに、他のユニット４が、幾つかのシステム、例えば音響データの送信を含むシステム用に設けられていても良く、他のユニットは送信されるべきデータや受信されたデータのディジタル信号処理を実行している。最後に、マイクロコントローラ３およびディジタル信号処理用のユニット４は、端末のアプリーケーション５へのアクセスを有している。
図２は、制御装置１の構成をより詳細に示している。制御装置１の主要構成要素は、制御ユニット１０およびデータ処理ユニット１１により形成されている。制御ユニット１０は、マイクロコントローラ３からのコマンド２０を受信し、これに基づいて、制御リードを介して無線制御ユニット２への制御信号２２の出力を制御し、データ処理ユニット１１のために制御信号２３を生成して出力している。
【０００５】
さらにデータ処理ユニット１１そのものは、受信されたデータビット２７，２９および送信されるべきデータビット２６，２８、例えば暗号化（スクランブル―かき混ぜ―処理）１２および１４または試験合計（test sum）１３（ＣＲＣ：Cyclic Redundancy Code―巡回冗長符号―）上の所定の機能を実行するために用いられている。ディジタルコードレス遠距離通信システムの端末においては、例えば、ＤＥＣＴ（Digital European Cordless Telecommunications―欧州におけるデジタル・コードレス通信の標準化方式―）のような送信または受信されるべきデータが、実際の時間（リアルタイム）で処理されなければならない。
【０００６】
制御ユニット１０およびデータ処理ユニット１１は、共にマイクロコントローラ３に対して状態情報（status information）２１，２５を供給することができる。制御装置の制御ユニットは、具体的には機械的なハードウェアとして実現されている。それゆえに、制御信号の出力の変形が要求されるや否や、幾つかの問題が発生することになる。例えば、これは同一のデータ処理機能が用いられるべきときや単に異なるビットタイミングが要求されているときであっても、データパケットのフォーマットに対する何らかの変更が、制御ユニットの新たな構成の設計を必要としている。
【０００７】
同様に、無線インターフェースの仕様または無線制御信号用のタイミングの変更ばかりでなく、データ処理機能の追加や削除もまた、制御ユニットの新たな設計を必要としている。したがって、例えばＤＥＣＴのような所定の遠距離通信標準のための制御ユニットのハードウェアは、大掛かりな適用を犠牲にするだけで、例えばアメリカ合衆国ＩＳＭバンド（Industrial Scientific Medical band ――産業化学医療用帯域―）システムのような他の遠距離通信システムのために用いることができる。このＩＳＭバンドは日本においては２．４ＧＨｚ帯、アメリカ合衆国においては、９００ＭＨｚ帯／２．４ＧＨｚ帯／５．７ＧＨｚの３つがある。
【０００８】
しかしながら、ＧＳＭから、制御信号の出力のために機械的に実現されたハードウェアが適用されているようなベースバンド制御ユニットが公知である。代わりに用いられる装置は、図３に示されており、マイクロコントローラは、制御信号を含むイベント（event ―事象／出来事―）用の値を制御信号レジスタ３０に書き込み、制御信号レジスタ３０に接続された制御線３６を介して前記イベントの制御信号が出力されるべきインスタント（instant ―具現／実例―）用の値をインスタントレジスタ３１に書き込んでいる。
【０００９】
比較器３２は、インスタントレジスタ３１のインスタントを、タイマー３３により届けられた時間と継続的に比較する。このタイマー３３は、ローカルクロック生成器３５により制御されている。通信を行なう場合には、イベントは制御信号レジスタ３０から出力レジスタ３４および制御線３６を介して出力される。制御線３６は、例えば無線制御ユニットに制御信号３８を供給するようにしても良いし、また、データ処理ユニットに対して制御信号３７を供給するようにしても良い。
【００１０】
時間の設定や制御線の使用は、機械的に設けられているハードウェアのタスクがソフトウェアに転送されているので、このように完全に無作為に選択可能である。レジスタの使用を理由として、ソフトウェアが機械的ハードウェアの動作を少しずつ制限する必要がない。
【００１１】
このことは、例えばデータパケットのフォーマットが変化するときに長所を提供する。制御ユニットからデータ処理ユニットへと制御信号を転送するためのインスタントは、ソフトウェアによって前もってセットされているので、フォーマットの変更は、ハードウェアの新たな設計によりもはるかに複雑ではないソフトウェアの変形という方法によって処理することができる。
【００１２】
データ処理ユニットの機能の追加と除去は、制御ユニットからデータ処理ユニットへと至る制御線に対するレジスタの個々のビットの配置に簡単な変更を加えるだけで実現することができる。新たに配置された有意の内容や制御線のための変化された出力時間は、純粋なソフトウェアの変形の方法によりこのように維持することができる。無線制御信号の有意な内容、タイミングおよびレベルは、また、ソフトウェアにより完全に前もってセットすることができるので、ハードウェアの新たな設計を直接必要とすることもなく、無線インターフェースのために変形を加えることもまた可能である。
【００１３】
ＧＳＭ（Global System for Mobile communications―ヨーロッパの移動体通信標準方式―、または、Group Special Mobile―ＣＥＰＴ：ヨーロッパ郵便電気通信主管庁会議の旧一部会―）携帯（移動可能）無線装置のための適切な提案を、例えば、ドイツ特許出願公開ＤＥ１９７ ４７ ２７５号の公報の中から見出すことができる。
【００１４】
【発明が解決しようとする課題】
しかしながら、ＧＳＭに適用することにより公知となった制御ユニットは、ディジタル、コードレスの技術分野における適用例へと単純に転用することができなかった。例えば、ＤＥＣＴのような適用例は、１１５２ｋｂｉｔ／ｓのビットレートを有しており、これはビットレートが２７０ｋｂｉｔ／ｓであるＧＳＭのそれよりも顕著に高くなっている。さらに、ＤＥＣＴは複数の接続を同時に保護することを要求する。このことは重要な量のソフトウェア処理および現時点では到底適合できない実時間要求を引き出している。
【００１５】
例えば、最悪の場合には、１ビットの時間すなわち０．８７μｓよりも少ない反応時間が要求される。ＰＳＴＮ（Public Switch Telephone Networks―公衆の切換電話システム―）に接続されるコードレスシステムにおける処理の間においては遅れ時間を最短とする必要があるので、受信されたデータについて実時間処理ではない「オフライン」処理ができなくなる。最終的には、暗号化およびテスト合計等をチェックするような処理ステップが、信号データが受信されたタイミングに間髪を入れず、これと同時に受信されたデータ上で実行されなければならない。それゆえに、（ＧＳＭのために用いられるような）局部的なシステム時間に従属する参照時間の使用もまた、不可能である。
【００１６】
この発明の目的は、端末の他のユニットに対して制御信号を送信するディジタル・コードレス遠距離通信システムの端末用に融通性のある省エネルギーの制御ユニットを提供することにある。この発明の他の目的は、コードレス遠距離通信システムの端末用の融通性のある省エネルギーの制御ユニットの使用を可能にする方法を提供することにある。
【００１７】
【課題を解決するための手段】
上記目的を達成するため、この発明の第１の基本構成に係るディジタルコードレス遠距離通信システムにおける端末制御は、ユニットディジタルコードレス遠距離通信システムにおける他の端末に対して制御信号を送信する端末用制御ユニットであって、制御信号により構成される複数のイベントのうち１つのイベントが最新のイベントとして選択され、かつ、各回毎に選択されるイベントが異なるようにマイクロコントローラにより供給することが可能な制御信号を格納する制御信号記録アレイと、前記マイクロコントローラにより異なるインスタントで負荷可能であると共に最新のインスタントとしての前記イベントに関連付けられた各回のインスタントを提供するのに適するインスタント記録アレイと、ローカルクロックまたは受信されたデータから抽出されたクロックに従って時間を設定するタイマーと、前記タイマーにより提供された前記時間を、前記インスタント記録アレイにより提供された前記最新のインスタントと比較する比較器と、前記比較器により制御されると共に制御リード接続され、前記最新のイベントが前記比較器により検知される前記タイマーにより設定された前記時間と前記最新のインスタンスとの間の通信上に書き込み可能であり、かつ、前記制御リードを介して制御信号としての格納された制御信号を前記他のユニットに対して出力するのに適する出力レジスタと、を備えることを特徴とする。
【００１８】
第１の詳細構成による通信システム端末用制御ユニットは、上記第１の基本構成に係る制御ユニットにおいて、前記制御信号記録アレイと、前記タイマーと、前記インスタント記録アレイと、前記比較器と、前記出力レジスタと、をそれぞれが備える少なくとも２つのサブセクションを含むと共に、前記サブセクションのうちの１つがそれぞれの時間のうちの１つを処理可能である少なくとも２つのイベントの間に出力されるように前記制御信号を分割することができることを特徴とする。
【００１９】
第２の詳細構成に係る通信システム端末用制御ユニットは、上記第１の詳細構成に係る制御ユニットにおいて、前記サブセクションは少なくとも、データパケット内のビットに直接は関係のない制御信号を出力する主制御部の形式で提供され、特に制御信号を、無線インターフェースおよび／または無線制御ユニットと、受信制御部と、送信制御部とのために出力することを特徴とする。
【００２０】
本発明の第３の詳細構成に係る制御ユニットは、上記第１または第２の詳細構成に係る制御ユニットにおいて、前記サブセクションのそれぞれは、ローカルクロックに従うか、または、入信されたデータパケットのクロックに従うかの何れかにより制御される個別のタイマーを有していることを特徴とする。
【００２１】
請求項２または請求項３に記載の通信システム端末用制御ユニット。
【００２２】
本発明の第４の詳細構成に係る制御ユニットは、上記第１ないし第３の詳細構成に係る制御ユニットにおいて、前記第１のサブセクションが、この第１のサブセクションの最新のイベントに提供される制御信号を介して、少なくとも１つの他のサブセクションを活性化させるように配置され、前記少なくとも１つの他のサブセクションは、前記他のサブセクションの最新のイベントに提供される制御信号を介してそれ自身を非活性化するように配置されていることを特徴とする。
【００２３】
本発明の第５の詳細構成に係る制御ユニットは、上記第１の基本構成およびこれに関連する第１ないし第４の詳細構成に係る制御ユニットにおいて、用いられているタイマーのうち少なくとも１つは、純粋ビットカウンタにより構成されていることを特徴とする。
【００２４】
本発明の第５の詳細構成に係る制御ユニットは、上記第１の基本構成およびこれに関連する第１ないし第５の詳細構成に係る制御ユニットにおいて、チップとして構成された制御装置内で、受信および送信されるべきデータを処理するためのデータ処理ユニットも共に集積化されていることを特徴とする。
【００２５】
本発明の第２の基本構成に係るコードレス遠距離通信システムの端末は、上記第１の基本構成およびこれに関連する第１ないし第５の詳細構成に係る制御ユニットを含むことを特徴としている。
【００２６】
また、この発明の第３の基本構成に係る端末制御方法は、コードレス遠距離通信システムの他の端末に対して制御信号を送信する端末用制御ユニットを動作させる方法であって、前記制御ユニットは、タイマーに接続された比較器と同様に出力レジスタに接続された制御信号記録アレイと、前記出力レジスタへのアクセスを制御する機能を有するインスタント記録アレイとを含み、前記方法は、（ａ）マイクロコントローラを用いて、制御信号を含む異なるイベントを前記制御信号記録アレイに書き込むステップと、（ｂ）前記マイクロコントローラを用いて、前記インスタント記録アレイに各イベントにより結合されたインスタンツを書き込むステップと、（ｃ）最新のイベントおよびこの最新のイベントにより結びつけられた最新のインスタントを決定するステップと、（ｄ）前記最新のインスタントを比較器に対して供給するステップと、（ｅ）前記比較器内で、前記最新のインスタントがこの比較器に連続的に供給されるタイマーのタイマー値に一致しているのか否かを連続的にチェックするステップと、（ｆ）一致している場合に、前記最新のイベントを前記出力レジスタに負荷として供給すると共に、その中に含まれている制御信号を接続されている制御リードを介して前記出力レジスタから出力させるステップと、を備えることを特徴としている。
【００２７】
この発明に係る制御ユニットおよびこの発明に係る端末制御方法は、充分なハードウェアの支援によるソフトウェア制御に基づくものであり、マイクロコントローラの性能に対して過度の要求を強いることがなく、同時性を保証できるにも拘わらず高い融通性を結果するものである。
【００２８】
この発明は、ハードウェアの新たな設計を必要とすることなく、２次的な条件を変更するような応用を可能にしている。これにより、マイクロコントローラによりレジスタアレイへと送られるイベンツおよびインスタンツを適切に適用することにより、異なるシステムへの適用例の適合を行なうことを簡単に可能にしている。同様に、制御線に接続されたユニット内の変化に反応することが可能となる。この変化は、例えば制御線の使用または無線インターフェースのタイミングや信号レベルが変更されるべきときに、例えば、インターフェースまたはデータ処理ユニット内で発生するのものである。
【００２９】
融通性が増加したばかりでなく、レジスタアレイを使用した結果、この発明はソフトウェアに大きく依存することなしに、高データレートを有するシステム内でもまた用いられることができるものであり、その理由はマイクロコントローラが複数のコマンドを同時に受け入れる（ロードする）ことができ、これにより、信号ビットの時間内に応答する必要がなくなるので、実時間要求をより迅速に満足させることができるからである。
【００３０】
この発明に係る制御ユニットの好適な実施形態およびこの発明に係る方法の好適な構成の説明（version ―バージョン―）はそれぞれ独立請求項に開示されている。
【００３１】
【発明の実施の形態】
以下、本発明に係るディジタルコードレス遠距離通信システムの端末用制御ユニットおよびこの制御ユニットを含む遠距離通信システムの端末ならびに通信システム端末の制御方法の好適な実施形態について、添付図面を参照しながら詳細に説明する。
【００３２】
図４は、本発明に係る制御ユニット１０の構成を図解的に示すブロック構成図である。制御ユニット１０は、図２に示された制御装置１に集積化されており、制御蔵置１そのものは、図１に示された端末の一部分を形成している。
【００３３】
制御ユニットは、３つのサブセクション、すなわち主要制御部、受信制御部および送信制御部に副分割されており、これら３つの制御部は同一の構成を有している。
【００３４】
３つのサブセクションのそれぞれは、出力レジスタ４４，５４，６４への制御アクセスを有する比較器４２，５２，６２を含んでいる。比較器４２，５２，６２の入力は、それぞれのタイマー４３，５３，６３およびインスタントレジスタアレイ４１，５１，６１に接続されている。出力レジスタ４４，５４，６４の入力は、それぞれの制御信号レジスタアレイ４０，５０，６０に接続され、出力４６，５６，６６はそれぞれの制御リードに接続されている。マイクロコントローラ（図４には示されていない）は、制御信号レジスタアレイ４０，５０，６０へのアクセスを有するのと同様にインスタントレジスタ４１，５１，６１にもアクセスを有している。
【００３５】
主要制御部のタイマー６３は、ローカルクロック６５により制御されている。出力レジスタ６４の出力６６，６６ａ，６６ｂは、制御リードを介して、一方では無線制御ユニットおよびデータ処理ユニットの素子とに接続され、他方では受信制御部のタイマー４３の各入力４８ａまたは５８ａおよび送信制御部のタイマー５３にそれぞれ接続されている。
【００３６】
受信制御部のタイマー４３は、主要制御部の出力レジスタ６４に接続された入力４８ａに加えて、３つの更なる入力４５，４８ｂ，４８ｃを備えている。入力４５を介して、タイマー４３は受信データから抽出されたクロックを受信している。更なる入力４８ｃは図示されないパケット検出ユニットに接続されている。最後に、タイマー４３の入力４８ｂは受信制御部の出力レジスタ４４の１つの出力４６ａに接続されている。出力レジスタ４４の残りの出力４６は受信されたデータパケットを実時間（real time）で処理するデータ処理ユニットの素子に接続されている。
【００３７】
送信制御部のタイマー５３は、主要制御部のタイマー６３のように、ローカルクロック５５により制御されている。送信制御部のタイマー５３の更なる入力５８ｂは、送信制御部の出力レジスタ５４の１つの出力５６ａに接続されている。出力レジスタ５４の他の出力５６は、送信するべきデータパケットを処理するデータ処理ユニットの素子に接続されている。
【００３８】
３つのサブセクションのそれぞれのタイマー４３，５３，６３は、それぞれのビットカウンタを備えており、このビットカウンタの長さは総計では、例えば、１１５２０ビットに達している。４８０ビットの長さを有するビットカウンタと２４ビットの長さを有するタイムスロットカウンタの結合はまた、その中でビットカウンタがタイムスロット内のビットをカウントし、タイムスロットカウンタのウィンドウがタイムスロットの最後のビットに応答してそれぞれの時間を桁上げするタイマーにとって実現可能なものである。しかしながら、純粋なビットカウンタの使用は、可変タイムスロット構成の処理のために高度の融通性を提供しており、この可変タイムスロット構成は幾つかのシステム内で生じ易いものであり、すなわち、ウィンドウ内の異なるタイムスロットが異なる長さのものであるときなどに生じやすいものである。さらに、ビットカウンタの使用は、複数のクロックを同時に設定する際に考慮することがより迅速に可能となり、その理由は設定する第２のクロックをビットカウンタ内のオフセットクロックとして簡単に処理することができるからである。タイムスロットカウンタが用いられるときにこの場合では２つのカウンタがオフセットの計算のために求められており、結果として発生するオーバフローチェック等が要求されているソフトウェアの量を増加させることになる。
【００３９】
図４に示される３つのサブセクションにおけるそれぞれの演算は、図３に示した制御ユニットにおける演算と同様であり、比較器が所定のシステム時間をレジスタからのインスタントと比較して、この比較結果にしたがって他のレジスタ内に格納されているイベントからの制御信号の出力を実現している。しかしながら、制御ユニット１０の３つのサブセクションへの副分割と個別のレジスタの代わりのレジスタアレイ４１，５１，６１および４０，５０，６０の使用との結果として、顕著な相違が発生する。
【００４０】
レジスタアレイ４１，５１，６１および４０，５０，６０がレジスタの代わりにインスタントのためおよびイベントのために設けられているので、マイクロコントローラは、イベントや支援されたインスタントより構成される幾つかの指令を一斉にロードすることができる。ハードウェアは、レジスタのアレイ４１，５１，６１および４０，５０，６０に周期的にアクセスする。ポインタ４７，５７，６７は最新のインスタントおよび最新の制御信号を表示する。好ましくは、ポインタ４７，５７，６７もまた、マイクロコントローラにより制御されている。インスタントレジスタアレイ４１，５１，６１からの最新のインスタントが、タイマー４３，５３，６３より供給される時間に対応しているときはいつでも、最新のイベントに含まれる制御信号は出力レジスタ４４，５４，６４を介して制御リードに出力され、ポインタ４７，５７，６７がさらにセットされ、次のインスタントおよび次のイベントが準備されることになろう。それゆえに、マイクロコントローラはもはや、単一のビットの時間内に新たなデータに対して応答する必要がなく、これによりデータレートが高い場合であっても実時間処理を可能にさせる。
【００４１】
３つのサブセクションの使用により更なる長所を得ることができる。普通の説明の仕方をすれば、支援されているイベント内の１つのインスタントから他に対しては、１つまたは２つの多数の制御リード用の制御信号のみが変化している。さらに、無線制御に関する制御信号は、タイムスロットの間、すなわちデータパッケージの処理のまさにその間には、通常は発生することが無い。制御ユニットの３つのサブセクションへの副分割によって、インスタント当たりの制御信号の数がより小さくなるイベントのみが出力される必要があるように、イベントが分散されることができる。イベントの幅、したがって各インスタント毎にマイクロコントローラによってプログラムされるべきデータの品質は、このようにして実質的に減少され、このことはマイクロプロセッサの仕事量に対して好ましい影響を与えることになる。
【００４２】
所望の副分割にしたがって、主要制御部は、制御リードを介して無線制御ユニットへと供給される制御信号の出力に対して応答可能である。さらに、この主要制御部は、データ処理のために役立つ制御データを作成するために用いることができ、このデータはデータパッケージ内のビットに対して直接関係するものではなく、すなわち、入来したデータへの同期は必要ないことになる。これは、例えば、同期ウィンドウの切換のオン・オフ用の制御信号を含んでおり、これはデータパッケージの最初のビット受信の前に実行され得るものである。主要制御部のタイマー６３は、連続して動作する。しかしながら、残りの期間は、主要制御部は、エネルギーを節約するために動作しない期間の間だけスイッチを切っておくこともできる。
【００４３】
送信制御部は、送信されるべきデータパケット内のビット位置に依存する全てのデータ処理機能を制御する。この送信制御部はデータパケットを送信している間のみ活動的であり、主要制御部の出力レジスタ６４に接続された制御リードを介して送信制御部のタイマー５３まで、主要制御部によって活性化されている。スタート信号に応答して、タイマー５３が、送信されるべきデータパケットのクロックにしたがって動作を開始する。それぞれの新たな開始に基づいて、送信制御部は、格納された第１のインスタントについて、および第１のイベントについて、再び読み出しを開始するが、不活性化の前の最後のポインタの位置については読み出しを開始しない。
【００４４】
送信制御部のイベントは制御信号を含んでおり、この制御信号は、制御線を介して出力レジスタ５４から送信制御部のタイマー５３に対して供給されると共に主要制御部による更新された活性化が行なわれるまで、他のコマンドの実行を停止するのに適している。
【００４５】
受信制御部は、受信されたデータパケット内のビット位置に依存する全てのデータ処理機能を制御している。この受信制御部は、データパケットの受信の間のみ活性化される。この受信制御部は、制御信号またはスタート信号によってもまた活性化され、制御信号は送信制御部と同様に主要制御部から供給され、また、スタート信号は、例えば同期フィールドの検出（同期フィールド検出）によって複数のデータ処理ユニットがパケットの開始を検出したときに、受信されるべきパケットのために応答可能である前記複数のデータ処理ユニットから供給されている。送信制御部と同様に、受信制御部のタイマー４３もまた、スタート信号に応答して動作を開始する。しかしながら、受信制御部は受信されたデータに同期されていなければならないので、ローカルクロック発生器からもたらされたものではなく受信されたデータから抽出されたクロックは、タイマー４３に対して供給されている。したがって、受信されたデータはシステムクロックとは別個に独立して処理することができる。
【００４６】
受信制御部は、それぞれの再スタートに応答して、格納された第１のインスタントおよび第１のイベントを再度伴って、読み出しを開始する。受信制御部自身のイベントに含まれる制御信号の１つは、出力レジスタ４４から制御線を介してタイマー４３に至る受信制御部を再び不活性化することができる。
【００４７】
３つのサブセクションの全てにおいて、制御リードはまたマイクロコントローラに対する割り込み要求（割り込み）を出力するためにも用いられているので、マイクロコントローラは同期における種々のサブセクションを制御することができる。
【００４８】
上述した実施形態における受信制御部および送信制御部は、信号パケットの単に長さをカバーする各々１つずつのタイマー４３，５３を必要としているだけである。それゆえに、これらのタイマー４３，５３は、主要制御部により用いられているシステムタイマー６３よりも短くても良いので、これらのタイマーは格納スペースを小さくできると共に計算や書き込みのための処理エネルギーを低減することができる。さらに、受信制御部および送信制御部内の所定のインスタンツは、データパケット内の固定位置に関連する所定のオフセットを外側に差し出しているので、これらはシステムクロックの変更による影響を受けることがない。これらのインスタンツおよび支援される制御信号は、このようにして、静的なデータとして格納しておくことができると共にマイクロコントローラにより再度演算される必要性は常にないので、処理のための負荷はさらにまた低減される。
【００４９】
受信制御部および送信制御部のコマンド用のレジスタアレイが充分に大きいときは、パケットフォーマットの全体のための全ての制御信号は、これらのレジスタアレイ内に静的に格納可能である。このことは、データ処理動作中に再度ロードを行なう必要性が無いことを意味すると共に、マイクロコントローラにおけるエネルギーの消費をもう１度減少させることを意味している。
【００５０】
【発明の効果】
以上詳細に説明したように、この発明に係る制御ユニットおよびこの発明に係る端末制御方法によれば、充分なハードウェアの支援によるソフトウェア制御に基づくものであり、マイクロコントローラの性能に対して過度の要求を強いることがなく、同時性を保証できるにも拘わらず高い融通性が得られるという効果がある。
【００５１】
また、この発明は、ハードウェアの新たな設計を必要とすることなく、２次的な条件を変更するような応用を可能にしている。これにより、マイクロコントローラによりレジスタアレイへと送られるイベンツおよびインスタンツを適切に適用することにより、異なるシステムへの適用例の適合を行なうことを簡単に可能にしている。同様に、制御線に接続されたユニット内の変化に反応することが可能となる。
【００５２】
さらに、融通性が増加したばかりでなく、レジスタアレイを使用した結果、この発明はソフトウェアに大きく依存することなしに、高データレートを有するシステム内でもまた用いることができ、が複数のコマンドを同時に受け入れる（ロードする）ことができ、これにより、信号ビットの時間内に応答する必要がなくなるので、実時間要求をより迅速に満足させることができる。
【図面の簡単な説明】
【図１】端末内の制御ユニットを伴う制御装置の結合を示すブロック構成図である。
【図２】制御ユニットを伴う制御装置の構成を図解的に示すブロック図である。
【図３】ＧＳＭシステムにより公知の制御ユニットを図解的に示すブロック構成図である。
【図４】本発明による制御装置の制御ユニットを図解的に示すブロック構成図である。
【符号の説明】
１  制御装置
２  無線制御ユニット
３  マイクロコントローラ
１０  制御ユニット
１１  データ処理ユニット
４０  制御信号レジスタアレイ（受信制御部）
４１  インスタントレジスタ（受信制御部）
４２  比較器（受信制御部）
４３  タイマー（受信制御部）
４４  出力レジスタ（受信制御部）
４５  他の入力（受信制御部）
４６  出力（出力レジスタ４４）
５０  制御信号レジスタアレイ（送信制御部）
５１  インスタントレジスタ（送信制御部）
５２  比較器（送信制御部）
５３  タイマー（送信制御部）
５４  出力レジスタ（送信制御部）
５５  他の入力（送信制御部）
６０  制御信号レジスタアレイ（主要制御部）
６１  インスタントレジスタ（主要制御部）
６２  比較器（主要制御部）
６３  タイマー（主要制御部）
６４  出力レジスタ（主要制御部）
６５  他の入力（主要制御部）
【図１】
0004612205.tif 000002
【図２】
0004612205.tif 000003
【図３】
0004612205.tif 000004
【図４】
0004612205.tif 000005